(57)【要約】【課題】生ごみの乾燥率に応じて、最適な処理を行うことで、低ランニングコストかつ確実に生ごみの乾燥処理ができる信頼性の高い生ごみ処理機を提供することを目的とする。【解決手段】生ごみを収納する生ごみ収納容器１と、前記生ごみを加熱する加熱手段３と、前記生ごみ収納容器１または前記生ごみ収納容器１内の温度を検出する温度検出手段１２と、前記温度検出手段１２の検出する温度が所定温度となるように前記加熱手段の動作を制御する制御手段１３と、前記生ごみ収納容器１から発生した空気を前記生ごみ収納容器１外へ排出する排気通路８とを備え、前記生ごみの乾燥率が大きくなると、前記所定温度を可変するもので、生ごみの乾燥率に応じた最適な処理を実現できる。【選択図】  図１
2004202315.tif 000002
【特許請求の範囲】
【請求項１】
生ごみを収納する生ごみ収納容器と、前記生ごみを加熱する加熱手段と、前記生ごみ収納容器または前記生ごみ収納容器内の温度を検出する温度検出手段と、前記温度検出手段の検出する温度が所定温度となるように前記加熱手段の動作を制御する制御手段と、前記生ごみ収納容器から発生した空気を前記生ごみ収納容器外へ排出する排気通路とを備え、前記生ごみの乾燥率が大きくなると、前記所定温度を可変する生ごみ処理機。
【請求項２】
排気通路に排気通路温度検出手段を設け、生ごみの乾燥率を検出する手段として、前記温度検出手段を用いる請求項１記載の生ごみ処理機。
【請求項３】
排気通路温度検出手段の検出値の下がり勾配により、生ごみの乾燥率を判断する請求項２記載の生ごみ処理機。
【請求項４】
生ごみ収納容器内に投入された生ごみの重量を測定する重量センサを備え、重量センサの出力変化により、生ごみの乾燥率を判断する請求項１記載の生ごみ処理機。
【請求項５】
温度検出手段の検出する生ごみ収納容器または前記生ごみ収納容器内の温度により、生ごみの乾燥率を判断する請求項１記載の生ごみ処理機。
【請求項６】
温度検出手段の検出する生ごみ収納容器または前記生ごみ収納容器内の温度の一度安定した後の上がり勾配により、生ごみの乾燥率を判断する請求項５記載の生ごみ処理機。
【請求項７】
生ごみの乾燥率が大きくなると、加熱手段の動作を制御する所定温度を低下させる請求項１〜６のいずれか１項に記載の生ごみ処理機。
【請求項８】
生ごみの乾燥率が大きくなると、加熱手段の動作を制御する所定温度を上昇させる請求項１〜６のいずれか１項に記載の生ごみ処理機。
【請求項９】
生ごみの乾燥率が大きくなり、加熱手段の動作を制御する所定温度を一担上昇させた後、再度低下させる請求項７または８記載の生ごみ処理機。
【請求項１０】
排気通路に、臭いを吸収するための酸化触媒と前記酸化触媒を加熱する触媒加熱手段とから構成される脱臭手段を設け、生ごみの乾燥率が大きくなると、前記触媒加熱手段の入力を可変する請求項１〜９のいずれか１項に記載の生ごみ処理機。
【発明の詳細な説明】
【０００１】
【発明の属する技術分野】
本発明は、生ごみ処理機の制御方式に関するものである。
【０００２】
【従来の技術】
従来の生ごみ処理機の構成を図７を用いて説明する。
【０００３】
１は乾燥減量したい生ごみを投入する収納容器で、生ごみは蓋２を開けて投入される。収納容器１の内部には生ごみの撹拌を行う撹拌手段４を配し、撹拌手段４は撹拌モータ（図示せず）により駆動される。収納容器１の上部には、収納容器１内の温度を検出する温度検出手段（乾燥センサ）１２、加熱手段である乾燥ヒータ３、送風手段である乾燥ファン６と、前記乾燥ファン６を駆動させる乾燥モータ５が設けてある。乾燥ヒータ３によって加熱された空気が、乾燥ファン６により温風となって、前記温度検出手段１２が検出する温度が所定値となるように、収納容器１内の生ゴミに向けて送り込まれる。収納容器１内で発生した水蒸気は、排気ファン７により機体外部に排気通路８を通り排出される。なお、この排気通路８の途中には、排出水蒸気の脱臭を行うための酸化触媒９と酸化触媒９を加熱するための触媒加熱手段１０から構成される脱臭手段が設けられている。１１は酸化触媒９の流入前の排気通路８に設けた排気通路温度検出手段（終了センサ）である。
【０００４】
図８において、乾燥ヒータ３、撹拌手段４、乾燥モータ５、触媒加熱手段１０を制御する制御装置１３により、運転開始から収納容器１内の温度が前記所定値に一定になるように温調制御を行い、排気通路温度検出手段１１が検出する温度が、ピーク値から所定温度低下した時点で乾燥終了と判断していた。これは、運転が進むに従い、前記生ごみ内から発せられ、収納容器１から排出される水蒸気量が減少し、排気通路温度検出手段１１の温度が下がるためである。この時、収納容器１内の温調温度は、運転開始より不変であった。
【０００５】
【発明が解決しようとする課題】
しかしながら前記従来の生ごみ処理機においては、収納容器１内の温調温度が運転開始より不変であるため、収納容器１内の生ごみの乾燥率が大きく乾燥終了間際であっても、収納容器１内の温調温度、乾燥ヒータ３の加熱量を制御していないため、生ごみ処理に電気代が多くかかってしまうという課題を有していた。
【０００６】
また、予め乾燥率が大きくなったことを判断していないため、投入された生ごみの質や量によって乾燥具合が異なる場合でも、常に一定の収納容器１内の温調温度で処理しているため、ごみの量が少なかったり、水分が少ないごみの場合は過乾燥、反対にごみの量が多かったり水分が多い場合では未乾燥になるという課題を有していた。
【０００７】
本発明は上記課題を解決するもので、生ごみの乾燥率に応じて、最適な処理を行うことで、低ランニングコストかつ確実に生ごみの乾燥処理ができる信頼性の高い生ごみ処理機を提供することを目的とする。
【０００８】
【課題を解決するための手段】
上記従来の課題を解決するために本発明は、生ごみを収納する生ごみ収納容器と、前記生ごみを加熱する加熱手段と、前記生ごみ収納容器または前記生ごみ収納容器内の温度を検出する温度検出手段と、前記温度検出手段の検出する温度が所定温度となるように前記加熱手段の動作を制御する制御手段と、前記生ごみ収納容器から発生した空気を前記生ごみ収納容器外へ排出する排気通路とを備え、前記生ごみの乾燥率が大きくなると、前記所定温度を可変するもので、生ごみの乾燥率に応じた最適な処理を実現し、電気代の安い、過乾燥や、未乾燥を防止することができる生ごみ処理機を提供することができる。
【０００９】
【発明の実施の形態】
請求項１記載の発明は、生ごみを収納する生ごみ収納容器と、前記生ごみを加熱する加熱手段と、前記生ごみ収納容器または前記生ごみ収納容器内の温度を検出する温度検出手段と、前記温度検出手段の検出する温度が所定温度となるように前記加熱手段の動作を制御する制御手段と、前記生ごみ収納容器から発生した空気を前記生ごみ収納容器外へ排出する排気通路とを備え、前記生ごみの乾燥率が大きくなると、前記所定温度を可変するもので、生ごみの乾燥率に応じた最適な処理を実現し、電気代の安い、過乾燥や、未乾燥を防止することができる生ごみ処理機を提供することができる。
【００１０】
請求項２記載の発明は、排気通路に排気通路温度検出手段を設け、生ごみの乾燥率を検出する手段として、前記温度検出手段を用いるもので、生ごみの乾燥率が大きくなると前記生ごみ収納容器から前記触媒へ流出する水蒸気が減ることで温度が下がるため、前記排気通路温度検出手段の出力値も下がる。そのため、生ごみの乾燥率が大きくなったことを判断でき、生ごみの乾燥率に応じた最適な処理を実現でき、電気代の安い、過乾燥や未乾燥を防止することができる生ごみ処理機を提供することができる。
【００１１】
請求項３記載の発明は、排気通路温度検出手段の検出値の下がり勾配により、生ごみの乾燥率を判断するもので、乾燥が進むと、前記生ごみ収納容器から排気通路へ流出する水蒸気の量が少ないため、温度低下が急激となる。そのため、排気通路温度検出手段の出力値の下がり勾配が大きくなるため、生ごみの乾燥率が大きくなったことを判断でき、生ごみの乾燥率に応じた最適な処理を実現でき、電気代の安い、過乾燥や未乾燥を防止することができる生ごみ処理機を提供することができる。
【００１２】
請求項４記載の発明は、生ごみ収納容器内に投入された生ごみの重量を測定する重量センサを備え、重量センサの出力変化により、生ごみの乾燥率を判断するもので、投入された生ごみの水分蒸発量を前記重量センサより検出することで、生ごみの乾燥率が大きくなったことを判断し、生ごみの乾燥率に応じた最適な処理を実現でき、電気代の安い、過乾燥や未乾燥を防止することができる生ごみ処理機を提供することができる。
【００１３】
請求項５記載の発明は、温度検出手段の検出する生ごみ収納容器または前記生ごみ収納容器内の温度により、生ごみの乾燥率を判断するもので、生ごみの乾燥率が大きくなると水分が蒸発し、加熱手段から常に所定量の熱が発せられている場合には、前記生ごみ収納容器近傍の温度が温調温度を保てなくなり、前記温度検出手段の検知温度が温調温度より高くなり所定温度を越えることで、生ごみの乾燥率が大きくなったことを判断し、生ごみの乾燥率に応じた最適な処理を実現でき、電気代の安い、過乾燥や未乾燥を防止することができる生ごみ処理機を提供することができる。
【００１４】
請求項６記載の発明は、温度検出手段の検出する生ごみ収納容器または前記生ごみ収納容器内の温度の一度安定した後の上がり勾配により、生ごみの乾燥率を判断するもので、生ごみの乾燥率が大きくなると水分が蒸発し、加熱手段から常に所定量の熱が発せられている場合には、前記生ごみ収納容器近傍の温度が温調温度を保てなくなり、前記温度検出手段の検知温度が温調温度より高くなり所定温度を越え、生ごみの乾燥率が大きくなるにつれて温度検出手段の出力値の勾配が大きくなることで、生ごみの乾燥率が大きさを判断し、生ごみの乾燥率に応じた最適な処理を実現でき、電気代の安い、過乾燥や未乾燥を防止することができる生ごみ処理機を提供することができる。
【００１５】
請求項７記載の発明は、生ごみの乾燥率が大きくなると、加熱手段の動作を制御する所定温度を低下させるもので、余分な過乾燥を防ぐことができ電気代の安い生ごみ処理機を提供することができる。
【００１６】
請求項８記載の発明は、生ごみの乾燥率が大きくなると、加熱手段の動作を制御する所定温度を上昇させるもので、水分の多いごみであればさらに乾燥させることができ未乾燥を防止することができる。
【００１７】
請求項９記載の発明は、生ごみの乾燥率が大きくなり、加熱手段の動作を制御する所定温度を一担上昇させた後、再度低下させるもので、加熱手段の動作を制御する所定温度を一度下げて、再び加熱手段の動作を制御する所定温度を上昇させるため、乾燥しにくい水分の多いごみであっても確実に乾燥することができ、未乾燥を防止することができる。
【００１８】
請求項１０記載の発明は、排気通路に、臭いを吸収するための酸化触媒と前記酸化触媒を加熱する触媒加熱手段とから構成される脱臭手段を設け、生ごみの乾燥率が大きくなると、前記触媒加熱手段の入力を可変するもので、生ごみの乾燥率が大きくなると生ごみの蒸発量が少なくなり、触媒加熱手段の入力を小さくすることにより電気代の少ない生ごみ処理機が提供できる。
【００１９】
【実施例】
以下、本発明の一実施例を、図１〜図６を用いて説明する。
【００２０】
１は乾燥減量したい生ごみを投入する生ごみ収納容器（以下、収納容器と称す）で、生ごみは蓋２を開けて投入される。収納容器１の内部には生ごみの撹拌を行う撹拌手段４を配し、撹拌手段４は撹拌モータ（図示せず）により駆動される。収納容器１の上方には、収納容器１内の温度を検出する温度検出手段（乾燥センサ）１２、加熱手段である乾燥ヒータ３、送風手段である乾燥ファン６と、前記乾燥ファン６を駆動させる乾燥モータ５が設けてある。乾燥ヒータ３によって加熱された空気が、乾燥ファン６により温風となって、前記温度検出手段１２が検出する温度が所定値（温調温度）となるように、収納容器１内の生ゴミに向けて送り込まれる。収納容器１内で発生した水蒸気は、排気ファン７により機体外部に排気通路８を通り排出される。なお、この排気通路８の途中には、排出水蒸気の脱臭を行うための酸化触媒９と酸化触媒９を加熱するための触媒加熱手段１０から構成される脱臭手段が設けられている。１１は酸化触媒９の流入前の排気通路８に設けた排気通路温度検出手段（終了センサ）である。なお、機器全体の小型コンパクト化から排気通路温度検出手段１４の取付け位置は、触媒１１の熱的影響のない蓋２内の排気通路にとりつけるのが望ましい。また、温度検出手段（乾燥センサ）１２は、収納容器１の表面に配設されていてもよい。なお、１３は制御装置で、乾燥ヒータ３、撹拌手段４、乾燥モータ５、触媒加熱手段１０の動作を制御している。
【００２１】
次に上記のように構成された生ごみ処理機の動作について説明する。蓋２を開けて、生ごみを収納容器１へ投入し、その後、蓋２を閉める。そして運転を開始すると、加熱手段である乾燥ヒータ３、触媒加熱手段１２である触媒ヒータに通電される。また、乾燥ファン６が回転し、温風で収納容器１内の生ごみを乾燥させる。加熱手段の乾燥ヒータ３は位相制御により多段階の加熱量を発する構成をなしている。
【００２２】
図２は生ごみの乾燥率が大きくなったことを判断する手段として、排気通路温度検出手段１１を用いた場合の、運転開始から乾燥終了までのタイムチャート図である。生ごみの乾燥率が大きくなると、前記収納容器１から脱臭手段へ流出する水蒸気が減り、温度が下がるため、排気通路温度検出手段１１の出力値が下がる。さらに、排気通路温度検出手段１１の出力値がある所定値以下になると制御切替をおこない、収納容器１内の温調温度を下げる。また、排気通路温度検出手段１１の入力値の下がり勾配により乾燥率が大きくなったことを判断し、収納容器１内の温調温度を下げることも可能である。
【００２３】
これにより、収納容器１内の温調温度を下げるため、乾燥ヒータ３にて生ごみを余分に加熱をすることなく、生ごみの乾燥率に応じた最適な処理温度で処理することができる。さらにそのときの乾燥ヒータ３の通電率を下げることで、低ランニングコストを実現することができる。逆に、図３のように、収納容器１内の温調温度を上げると、短時間で乾燥させることができ処理時間短縮になる。
【００２４】
上記制御切替後の処理工程を所定時間行った後乾燥終了とするが、その処理工程時間は可変でき、この時間を処理開始時間から制御切替までの時間で決めるとより効果的である。つまり少量のごみや水分の少ない乾燥の速い場合であれば、制御切替までの時間は短く、切替後の処理工程をおこなう時間は短くて良くなるからである。逆に多量のごみや水分の多い乾燥の遅い場合は、制御切替までの時間は長く、切替後の処理工程をおこなう時間は長くする必要がある。また上記処理工程の可変時間決定に、排気通路温度検出手段１１が上記所定値よりも低いある所定値以下になったことで決定することもできる。
【００２５】
切替後の処理工程をおこなう時間を決める別の方法として、図４に示すように、収納容器１内の温調温度を下げた場合、温度検出手段３の出力が再びある所定値以上になった場合乾燥終了とする方法もある。これは低い温調温度でもごみが乾いていることを意味するので十分乾燥していると判断できる。
【００２６】
また、図５に示めすように、収納容器１の下部に処理を行う生ゴミの重量を検出することのできる重量センサ（図示せず）を配し、排気通路温度検出手段１１と同様に重量センサの変化で乾燥率が大きくなったことを判断することができ、その後の切替制御も同様にすることができる。図５に示すように、減重量の曲線の勾配が小さくなり始めた時点で乾燥率が大きくなったと判断する。
【００２７】
さらに、図６に示すように、温度検出手段１１を生ごみの乾燥率が大きくなったことを判断する手段として用いることも可能である。この場合は、温度検出手段１１の検出温度の上昇より切替の判断をする。なお、この場合には、温度検出手段１１が検出する温度が、収納容器１内の温調温度を越えても、加熱手段の乾燥ヒータ３を位相制御により可変させ、ある一定量の加熱量を発している必要がある。
【００２８】
また、制御切替の時点では乾燥率が大きく、臭いのある水蒸気の発生量が少ないので、触媒加熱手段１０の入力を小さくしても生ごみから発生する蒸気を十分脱臭することができるので、より低ランニングコストを実現することができる。
【００２９】
【発明の効果】
以上のように本発明によれば、生ごみの乾燥率に応じて、最適な処理を行うことで、低ランニングコストかつ確実に生ごみの乾燥処理ができる信頼性の高い生ごみ処理機を提供できる。
【図面の簡単な説明】
【図１】本発明の一実施例を示す生ごみ処理機の側断面図
【図２】（ａ）同動作タイムチャート（通常処理の例）
（ｂ）同動作タイムチャート（少量処理の例）
【図３】同他の動作タイムチャート
【図４】同他の動作タイムチャート
【図５】同生ごみの乾燥率を判断する手段として重量センサを用いた場合の動作タイムチャート
【図６】同生ごみの乾燥率を判断する手段として温度検出手段を用いた場合の動作タイムチャート
【図７】従来の生ごみ処理機の側断面図
【図８】同動作タイムチャート
【符号の説明】
１  収納容器
３  乾燥ヒータ（加熱手段）
４  撹拌手段
８  排気通路
１０  触媒加熱手段
１１  排気路温度検出手段（終了センサ）
１２  温度検出手段（乾燥センサ）
【図１】
2004202315.tif 000003
【図２】
2004202315.tif 000004
【図３】
2004202315.tif 000005
【図４】
2004202315.tif 000006
【図５】
2004202315.tif 000007
【図６】
2004202315.tif 000008
【図７】
2004202315.tif 000009
【図８】
2004202315.tif 000010